【手続補正書】
【提出日】平成23年2月25日(2011.2.25)
【手続補正１】
【補正対象書類名】特許請求の範囲
【補正対象項目名】全文
【補正方法】変更
【補正の内容】
【特許請求の範囲】
【請求項１】
入力画像からオブジェクトを分割する分割手段と、
ＯＣＲ処理及び形態素解析を行い前記分割手段にて分割されたオブジェクト毎にメタデータを付加するメタデータ付加手段と、
前記メタデータ付加手段にて前記オブジェクト及び該オブジェクトに付加されたメタデータを表示する表示手段と、
前記ＯＣＲ処理及び形態素解析の結果を用いて、前記メタデータ付加手段にて付加されたメタデータの確度を判定するメタデータ確度判定手段とを備え、
前記表示手段は、前記メタデータ確度判定手段によって確度が低いと判定されたメタデータを、優先的に表示することを特徴とする画像処理装置。
【請求項２】
前記メタデータ確度判定手段は、前記形態素解析を行うことによって未知語と判定された語句を確度の低いメタデータとして判定することを特徴とする請求項１に記載の画像処理装置。
【請求項３】
前記メタデータ確度判定手段は、前記形態素解析を行うことによって名詞と判定され、かつ、一文字である語句を確度の低いメタデータとして判定することを特徴とする請求項１に記載の画像処理装置。
【請求項４】
前記表示手段は、前記メタデータ確度判定手段によって確度が低いと判定されたメタデータだけを表示することを特徴とする請求項１に記載の画像処理装置。
【請求項５】
前記表示手段は、前記メタデータ確度判定手段によって確度が低いと判定されたメタデータを、強調して表示することを特徴とする請求項１に記載の画像処理装置。
【請求項６】
前記メタデータ確度判定手段にて前記メタデータの確度を判定した結果を用いて、前記オブジェクトの確度を判定するオブジェクト確度判定手段をさらに備え、
前記表示手段は、前記オブジェクト確度判定手段によって確度が低いと判定されたオブジェクトを、優先的に表示することを特徴とする請求項１に記載の画像処理装置。
【請求項７】
前記表示手段は、前記オブジェクト確度判定手段によって確度が低いと判定されたオブジェクトを、強調して表示することを特徴とする請求項６に記載の画像処理装置。
【請求項８】
さらに、文字オブジェクトの文字の文字コードをメタデータとする関連元オブジェクトと、該関連元オブジェクトの周囲に位置し、該関連元オブジェクトと同じメタデータが付加された関連先オブジェクトとを関連グループとして認識する認識手段と、
ユーザからの指示に応じて、前記メタデータ確度判定手段によって確度が低いと判定されたメタデータを修正するメタデータ修正手段とを有し、
前記メタデータ修正手段は、メタデータの修正内容を、前記認識手段によって同じ関連グループとして認識された他のオブジェクトのメタデータに対しても、同じ修正を実施することを特徴とする請求項１に記載の画像処理装置。
【請求項９】
前記表示手段は、前記認識手段によって関連グループと認識されたオブジェクトを、強調して表示することを特徴とする請求項８に記載の画像処理装置。
【請求項１０】
前記表示手段は、前記認識手段によって関連グループと認識されたオブジェクトのうち、関連元オブジェクトを、関連先オブジェクトよりも優先的に表示することを特徴とする請求項９に記載の画像処理装置。
【請求項１１】
前記メタデータ修正手段により修正されたメタデータをＯＣＲ辞書と形態素解析辞書に反映させることを特徴とする請求項８に記載の画像処理装置。
【請求項１２】
入力画像からオブジェクトを分割する分割ステップと、
ＯＣＲ処理及び形態素解析を行い前記分割されたオブジェクト毎にメタデータを付加するメタデータ付加ステップと、
前記メタデータ付加ステップにて前記オブジェクト及び該オブジェクトに付加されたメタデータを表示する表示ステップと、
前記ＯＣＲ処理及び形態素解析の結果を用いて、前記メタデータ付加ステップにて付加されたメタデータの確度を判定するメタデータ確度判定ステップとを備え、
前記表示ステップは、前記メタデータ確度判定ステップによって確度が低いと判定されたメタデータを、優先的に表示することを特徴とする画像処理方法。
【請求項１３】
前記メタデータ確度判定ステップは、形態素解析を行うことによって未知語と判定された語句を確度の低いメタデータとして判定することを特徴とする請求項１２に記載の画像処理方法。
【請求項１４】
前記メタデータ確度判定ステップは、形態素解析を行うことによって名詞と判定され、かつ、一文字である語句を確度の低いメタデータとして判定することを特徴とする請求項１２に記載の画像処理方法。
【請求項１５】
前記表示ステップは、前記メタデータ確度判定ステップによって確度が低いと判定されたメタデータだけを表示することを特徴とする請求項１２に記載の画像処理方法。
【請求項１６】
前記表示ステップは、前記メタデータ確度判定ステップによって確度が低いと判定されたメタデータを、強調して表示することを特徴とする請求項１２に記載の画像処理方法。
【請求項１７】
前記メタデータ確度判定ステップにて前記メタデータの確度を判定した結果を用いて、前記オブジェクトの確度を判定するオブジェクト確度判定ステップをさらに備え、
前記表示ステップは、前記オブジェクト確度判定ステップによって確度が低いと判定されたオブジェクトを、優先的に表示することを特徴とする請求項１２に記載の画像処理方法。
【請求項１８】
前記表示ステップは、前記オブジェクト確度判定ステップによって確度が低いと判定されたオブジェクトを、強調して表示することを特徴とする請求項１７に記載の画像処理方法。
【請求項１９】
さらに、文字オブジェクトの文字の文字コードをメタデータとする関連元オブジェクトと、該関連元オブジェクトの周囲に位置し、該関連元オブジェクトと同じメタデータが付加された関連先オブジェクトとを関連グループとして認識する認識ステップと、
ユーザからの指示に応じて、前記メタデータ確度判定ステップによって確度が低いと判定されたメタデータを修正するメタデータ修正ステップとを有し、
前記メタデータ修正ステップは、メタデータの修正内容を、前記認識ステップによって同じ関連グループとして認識された他のオブジェクトのメタデータに対しても、同じ修正を実施することを特徴とする請求項１２に記載の画像処理方法。
【請求項２０】
前記表示ステップは、前記認識ステップによって関連グループと認識されたオブジェクトを、強調して表示することを特徴とする請求項１９に記載の画像処理方法。
【請求項２１】
前記表示ステップは、前記認識ステップによって関連グループと認識されたオブジェクトのうち、関連元オブジェクトを、関連先オブジェクトよりも優先的に表示することを特徴とする請求項２０に記載の画像処理方法。
【請求項２２】
前記メタデータ修正ステップにより修正されたメタデータをＯＣＲ辞書と形態素解析辞書に反映させることを特徴とする請求項１９に記載の画像処理方法。
【請求項２３】
コンピュータに
入力画像からオブジェクトを分割する分割ステップと、
ＯＣＲ処理及び形態素解析を行い前記分割されたオブジェクト毎にメタデータを付加するメタデータ付加ステップと、
前記メタデータ付加ステップにて前記オブジェクト及び該オブジェクトに付加されたメタデータを表示する表示ステップと、
前記ＯＣＲ処理及び形態素解析の結果を用いて、前記メタデータ付加ステップにて付加されたメタデータの確度を判定するメタデータ確度判定ステップとを備え、
前記表示ステップは、前記メタデータ確度判定ステップによって確度が低いと判定されたメタデータを、優先的に表示することを実行させるためのプログラム。
【請求項２４】
請求項２３に記載のプログラムを格納したことを特徴とするコンピュータが読み取ることが可能な記憶媒体。